(57)【要約】      （修正有） 【課題】カメラを簡単に収納することができ、かつ撮影用レンズを有するカメラ前面と、カメラ後面と、カメラ上面とを露出させることができ、しかもカメラを高い位置で安定して支持する状態にすることのできるカメラケースの提供。【解決手段】カメラを固定する固定用ねじ３と、カメラ外周面を覆う状態で収納する基部１０、左右基部１１、１２と前面蓋部材１３、後面蓋部材１４と上面蓋部材１５とを備え、撮影用レンズを有するカメラ前面とカメラ後面とを露出させ、かつカメラを高い位置で安定して支持するための脚部となる一対の支持部材を前面蓋部材１３、後面蓋部材１４で兼用する。【選択図】図３
2005202324.tif 000002
【特許請求の範囲】
【請求項１】
カメラを固定する固定部材と、
カメラ外周面を覆う状態で収納する収納部材と、
撮影用レンズを有するカメラ前面とカメラ後面とを露出させる面積を有するとともに、閉位置で前記カメラ前面と前記カメラ後面とを覆い、開位置でカメラを支持するための脚部となる一対の支持部材と、を一体的に構成したことを特徴とするカメラケース。
【請求項２】
前記固定部材は、カメラ下面を覆う前記収納部材の基部に配設され、
前記基部は、カメラ左右面を覆う左右基部を延設し、
前記一対の支持部材は、
前記左右基部の前方の案内部により前記カメラ前面を覆う閉位置と開位置との間で移動自在に案内される前面蓋部材と、前記左右基部の後方の案内部により前記カメラ後面を覆う閉位置と開位置との間で移動自在に案内される後面蓋部材であり、
前記前面蓋部材または前記後面蓋部材に、カメラ上面を覆う上面蓋部材を開閉自在に設けたことを特徴とする請求項１に記載のカメラケース。
【請求項３】
前記案内部は、
前記前面蓋部材と前記後面蓋部材の側縁部の上方の上凸部と下方の下凸部を案内する溝部を形成するとともに、前記左右基部に対して固定される別部材として形成され、
前記上凸部を前後方向に所定角度で傾斜して保持する傾斜形状部を、前記溝部の下方位置に形成したことを特徴とする請求項２に記載のカメラケース。
【請求項４】
前記固定部材は、前記基部で回動自在に設けられるとともに、前記カメラ下面の固定用ねじ穴に対して螺合される固定用ねじであることを特徴とする請求項２または３に記載のカメラケース。
【発明の詳細な説明】
【技術分野】
【０００１】
本発明は、カメラを保護するためのカメラケースに関するものである。
【背景技術】
【０００２】
使用時に常に持ち運ばれるカメラを大切に扱うためには、カメラケースの中にカメラを収納し、撮影するときにカメラケースからカメラを取り出し、使用後に再びカメラケースに収納すると良いことが知られている。
【０００３】
レザー製などのソフトカメラケースの場合には、カメラ本体側のカメラ下面の固定用ねじ穴に螺合される固定用ねじを用いて固定し、ファインダー覗き穴を設けた本体ケースでカメラ本体側を覆う状態にしておき、撮影用レンズを有するカメラ前面を覆うレンズケース部分のケースカバーのみを外して撮影可能にすることで、使用者がカメラ全体を取り出す面倒な操作を解消している。
【０００４】
一方、両目を開けたままでも正確な撮影を可能とし、手振れや指の写りこみが発生せず、レンズを保護できる多目的カバー付きカメラも提案されている。（特許文献１）
また、撮影レンズを保護する部材を設け、この部材を移動させることにより撮影レンズをカメラ本体内に沈胴させて収納し、バッグなどに入れるときに嵩張らずかつレンズを保護することのできるレンズ付きフィルムカメラも提案されている。（特許文献２）
さらに、軽量かつ操作性に優れ、低コストで電子機器を雨水や塵埃から簡易に保護できる電子機器用ケースも提案されている。（特許文献３）
【特許文献１】特許第３２８９１８２号。
【特許文献２】特開平１１−０８４４６７号公報。
【特許文献３】特開２０００−２８４３５８号公報。
【発明の開示】
【発明が解決しようとする課題】
【０００５】
しかしながら、上記の特許文献１によれば撮影レンズを保護するカバーはカメラに内蔵される構成であるので、市販のカメラに使用される汎用のカメラケースとは異なる。さらにまた、上記の特許文献２によれば撮影レンズを保護する部材を移動させることで撮影レンズが自動的にカメラ本体内に沈胴されて収納できる構成であることから、市販のカメラに使用される汎用のカメラケースとは異なる。
【０００６】
また、特許文献３は、低コストで電子機器を雨水や塵埃から簡易に保護するために電子機器の外周面を保護するケース体を設けたものであるので、このケース体にカメラを収納すれば使用時に常に持ち運ばれるカメラを大切に扱うことができる。
【０００７】
一方、近年のカメラは銀塩フィルムカメラからデジタルカメラに移行している。このデジタルカメラによれば撮影用レンズを有するカメラ前面と、例えば液晶を配置したカメラ後面と、シャッターを配置したカメラ上面とを露出させることができれば撮影を行うことができる。しかしながら、例えば自動シャッターを機能させて自分自身を撮影する場合において、カメラを高い位置で安定して支持するためには別途準備された三脚を取り付ける必要があるので面倒となる。
【０００８】
したがって、本発明は上記の問題点に鑑みて成されたものであり、カメラを簡単に収納することができ、かつ撮影用レンズを有するカメラ前面と、カメラ後面と、カメラ上面とを露出させることができ、しかもカメラを高い位置で安定して支持する状態にできるカメラケースの提供を目的としている。
【課題を解決するための手段】
【０００９】
上述した課題を解決し、目的を達成するために、本発明によれば、カメラを固定する固定部材と、カメラ外周面を覆う状態で収納する収納部材と、撮影用レンズを有するカメラ前面とカメラ後面とを露出させる面積を有するとともに、閉位置で前記カメラ前面と前記カメラ後面とを覆い、開位置でカメラを支持するための脚部となる一対の支持部材とを一体的に構成したことを特徴としている。
【００１０】
また、前記固定部材は、カメラ下面を覆う前記収納部材の基部に配設され、前記基部は、カメラ左右面を覆う左右基部を延設し、前記一対の支持部材は、前記左右基部の前方の案内部により前記カメラ前面を覆う閉位置と開位置との間で移動自在に案内される前面蓋部材と、前記左右基部の後方の案内部により前記カメラ後面を覆う閉位置と開位置との間で移動自在に案内される後面蓋部材であり、前記前面蓋部材または前記後面蓋部材に、カメラ上面を覆う上面蓋部材を開閉自在に設けたことを特徴としている。
【００１１】
また、前記案内部は、前記前面蓋部材と前記後面蓋部材の側縁部の上方の上凸部と下方の下凸部を案内する溝部を形成するとともに、前記左右基部に対して固定される別部材として形成され、前記上凸部を前後方向に所定角度で傾斜して保持する傾斜形状部を、前記溝部の下方位置に形成したことを特徴としている。
【００１２】
そして、前記固定部材は、前記基部で回動自在に設けられるとともに、前記カメラ下面の固定用ねじ穴に対して螺合される固定用ねじであることを特徴としている。
【発明の効果】
【００１３】
本発明によれば、カメラを簡単に収納することができ、かつ撮影用レンズを有するカメラ前面と、カメラ後面と、カメラ上面とを露出させることができ、しかもカメラを高い位置で安定して支持することのできるカメラケースを提供できる。
【発明を実施するための最良の形態】
【００１４】
以下に本発明の好適な一実施形態について、添付図面を参照して説明する。
【００１５】
ここで、以下の実施形態ではカメラとして撮影用レンズを有するカメラ前面と液晶を配置したカメラ後面と、シャッターを配置したカメラ上面とを備えており、望ましくは撮影レンズが３倍光学ズームの場合には沈胴するタイプ、または固定焦点レンズを備えた小型偏平の箱型のデジタルカメラに使用されるカメラケースについて主に述べる。しかしこのデジタルカメラに限定されず銀塩フィルムカメラにも適用可能である。
【００１６】
また、小型偏平かつ軽量の機種において、上記の特許文献２に提案されるように撮影レンズを保護する部材を移動させることで撮影レンズが自動的にカメラ本体内に沈胴されて収納できるカメラにおいて特に有効である。
【００１７】
先ず、図１は、デジタルカメラ２を本発明の第１実施形態のカメラケース１に収納した様子を示した外観斜視図であり、(ａ)はデジタルカメラ２を破線で示し、カメラ後面側から見た図であり、(ｂ)はカメラ前面側から見た図、(ｃ)はカメラ上面を覆う上面蓋部材１５を開いた様子を示し、(ｄ)はカメラ前面を覆う前面蓋部材１３を下方に移動した後の様子を示し、(ｅ)は前面蓋部材１３を手前側に倒し、さらにカメラ後面を覆う後面蓋部材１４を下方に移動した様子を示し、(ｆ)は、デジタルカメラ２を高い位置で安定して支持する様子を示した外観斜視図である。
【００１８】
先ず、図１(ａ)、(ｆ)において、デジタルカメラ２は沈胴式または固定焦点の撮影用レンズ６を有するカメラ前面２ａと、この裏面側において破線図示の液晶表示部４を備えたカメラ後面２ｂと、シャッター５を設けたカメラ上面２ｃを設けた偏平箱状であり、携帯性を良好にしている。
【００１９】
そして、図１(ａ)において、このデジタルカメラ２はカメラケース１の基部１０で回動自在に設けられるとともに、カメラ下面２ｄの固定用ねじ穴に対して螺合される固定用ねじ３により固定されている。このため、ケース内に収まる大きさの全ての汎用カメラケースとして使用できるように構成されている。また、この固定用ねじ３に代えてマジックファスナー（登録商標）、両面粘着テープなどを固定手段として用いても良い。
【００２０】
このカメラケース１は、所謂ハードケースであって、所定樹脂材料から射出成形される部品を組付けることで完成されることで、図示のように、カメラ外周面を覆う状態で収納する収納手段として完成される。これらの図１(ａ)、(ｂ)に図示の状態ではデジタルカメラ２の全ての外周面が保護されることになり、安全に持ち運びできる。
【００２１】
その後、撮影を行うためには、図１(ｃ)〜(ｆ)に図示の操作を行うことでカメラ前面２ａと液晶表示部４を配置したカメラ後面２ｂと、シャッター５を配置したカメラ上面２ｃとが露出されるので、撮影を行うことができる。また、例えば自動シャッターを機能させて自分自身を撮影する場合には、デジタルカメラ２を図示のように床面またはテーブル面から前面蓋部材１３と後面蓋部材１４の高さ寸法分、高い位置で安定して支持することができるので三脚を取り付ける面倒な作業が不要になる。
【００２２】
このとき、カメラ左右面２ｅ、２ｆは基部１０の左右端から上方に延設された左右延設部により覆われる状態になるが、撮影時にはカメラ左右面２ｅ、２ｆに設けられた機能は通常使用されないので邪魔にはならない。
【００２３】
撮影終了後には、図１(ｆ)→(ｅ)→(ｄ)→(ｃ)→(ｂ)に図示の状態にすることで、携帯可能な状態に戻す。以上のように、デジタルカメラ２をカメラケース１内に簡単に収納することができる。また、撮影用レンズを有するカメラ前面２ａと、カメラ後面２ｂと、カメラ上面２ｃを簡単にワンタッチで露出させるようにすると、前面蓋部材１３と後面蓋部材１４とが脚部となるのでデジタルカメラ２を高い位置で安定して支持する状態にすることができるようになる。
【００２４】
ここで、所謂ハードケースであるカメラケース１は、上記の所定樹脂材料から射出成型された部品を使用することが安定した品質と低コストを実現する上で有利となるが、この種の樹脂材料に限定されず高級品としてチタン、アルミなどの金属類を使用できる。また、支持強度が確保できれば紙または木製でも良く、さらに内部が見えるように透明あるいは光透過性材料から作っても良い。
【００２５】
図２(ａ)は、カメラケース１の平面図、図２(ｂ)はカメラケース１の一部を破断して示した正面図、図２(ｃ)はカメラケース１の底面図である。本図において、図１において既に説明済みの構成部品については同様の符号を附して説明を割愛する。
【００２６】
先ず、図２(ａ)において、基部１０の左右延設部１１、１２は破線で図示されており、これらの上から別部材２０、２０が固定されている。これらの別部材２０、２０については詳しく後述する。上蓋部材１５は、後面蓋部材１４の上端部において開閉自在になるように４箇所の蝶番部１５ａを一体形成する一方で、後面蓋部材１４の上端部には２箇所の蝶番部１５ａの間に潜入する蝶番部１４ａが図示のように一体形成されており、破線図示のピン９が各蝶番部の孔部に挿入されることで上蓋部材１５を後面蓋部材１４の上端部において開閉自在にしている。この上蓋部材１５を前面蓋部材１３の上端部において開閉自在に設けても良い。
【００２７】
しかし、このようにすると図１（ｆ）に図示のようにならず、上蓋部材１５が手前側に垂れ下がることとなり、外観上の美観を損なう場合もある。また、前面蓋部材１３には閉じた状態で上蓋部材１５を保持する図示しないスナップ方式のストッパーが設けられており、携行時に閉じた状態を維持できるようにしている。
【００２８】
次に、図２(ｂ)において、カメラ下面を覆う基部１０には孔部が穿設されており、固定用ねじ３をコインなどを用いて回転できるように設けており、デジタルカメラ２の固定用ねじ孔に螺合して固定するように構成されている。この基部１０を樹脂成型部品として構成する場合には、蓋別部材２２がさらに固定されることで、部品の肉厚変化を最小にしている。
【００２９】
そして、図２(ｃ)において、前面蓋部材１３と後面蓋部材１４の側縁部の下方には下凸部１３ｂ、１４ｂが夫々一体形成されており、これらが別部材２０、２０に形成された案内溝部により案内される。
【００３０】
図３は、図２に図示のカメラケース１の立体分解図である。本図において、既に説明済みの構成部品については同様の符号を附して説明を割愛すると、先ず、基部１０は補強部１０ｂを介して左右延設部１１、１２が一体成型されており、特に外側への倒れを防止している。蓋別部材２２と、基部１０の略中央には固定用ねじ３を挿通する孔部１０ａ、２２ａが穿設されており、蓋別部材２２を基部１０に爪嵌合で嵌め込んだ後に、固定用ねじ３を通過してから留め輪８で固定して脱落を防止している。
【００３１】
左右基部に対して固定される別部材２０、２０はネジ７を使用して左右延設部１１、１２のネジ孔部に固定される。これらの別部材２０、２０には、案内用の溝部２４、２５が上下方向に形成されており、前面蓋部材１３と後面蓋部材１４の側縁部の上方の上凸部１３ａ、１４ａと下方の下凸部１３ｂ、１４ｂとを、図示のように各溝部２４、２５の中にセットした状態で、別部材２０、２０をネジ７を用いて左右延設部１１、１２のネジ孔部に固定して完成する。
【００３２】
図４(ａ)、(ｂ)は図２(ｂ)のＸ−Ｘ線矢視断面図であって、別部材２０の案内用の溝部２４、２５に、前面蓋部材１３と後面蓋部材１４の側縁部の上方の上凸部１３ａ、１４ａと下方の下凸部１３ｂ、１４ｂとが位置する様子を示した図である。
【００３３】
図３の手順で完成した後に、図４(ａ)に図示の状態になる。なお、図４(ａ)において溝部２４、２５の下方位置には上凸部１３ａ、１４ａを前後方向に所定角度で傾斜して保持する傾斜形状部２６が対称位置に形成されている。
【００３４】
図４(ａ)の状態から、図４(ｂ)に図示のように前面蓋部材１３と後面蓋部材１４とが下方に移動されると側縁部の下方の下凸部１３ｂ、１４ｂが溝部２４、２５から外れる。
【００３５】
次に、図５(ａ)、(ｂ)は図２(ｂ)のＸ−Ｘ線矢視断面図である。図４(ｂ)の状態からさらに下方に移動されると前面蓋部材１３と後面蓋部材１４の側縁部の上方の上凸部１３ａ、１４ａが傾斜形状部２６に隣接した位置で停止されることで、それ以上の移動ができない状態になる。これに続き、図５(ｂ)に図示のように前面蓋部材１３と後面蓋部材１４とを角度θ分のおよそ３０度回動すると、前面蓋部材１３と後面蓋部材１４の側縁部の上方の上凸部１３ａ、１４ａが傾斜形状部２６に入りこむ状態となり、前面蓋部材１３と後面蓋部材１４とによる支持状態になる。
【００３６】
次に、図６は、デジタルカメラ２を収納した本発明の第２実施形態のカメラケース１の外観斜視図であって、(ａ)はカメラ前面側から見た図、(ｂ)はカメラ上面を覆う上面蓋部材１５を開き、かつカメラ前面を覆う前面蓋部材１３とカメラ後面を覆う後面蓋部材１４を下方に回動した様子を示している。本図において、既に説明済みの構成部品については同様の符号を附して説明を割愛すると、前面蓋部材１３と後面蓋部材１４は回動軸３０を介して矢印方向に回動自在に設けられており、図示の位置で固定するように設けられている。この構成において、回動軸３０を後付けするようにすれば基部の左右基部に対して前面蓋部材１３と後面蓋部材１４を直に回動／開閉自在に設けることができる。
【図面の簡単な説明】
【００３７】
【図１】デジタルカメラ２を本発明の第１実施形態のカメラケース１に収納した様子を示した外観斜視図であって、(ａ)はデジタルカメラ２を破線で示し、カメラ後面側から見た図であり、(ｂ)はカメラ前面側から見た図、(ｃ)はカメラ上面を覆う上面蓋部材１５を開いた様子を示し、(ｄ)はカメラ前面を覆う前面蓋部材１３を下方に移動した後の様子を示し、(ｅ)は前面蓋部材１３を手前側に倒し、さらにカメラ後面を覆う後面蓋部材１４を下方に移動した様子を示し、(ｆ)はデジタルカメラ２を高い位置で安定して支持する様子を示した外観斜視図である。
【図２】(ａ)はカメラケース１の平面図、(ｂ)はカメラケース１の一部を破断して示した正面図、図２(ｃ)はカメラケース１の底面図である。
【図３】図２に図示のカメラケース１の立体分解図である。
【図４】(ａ)、(ｂ)は図２(ｂ)のＸ−Ｘ線矢視断面図であって、別部材２０の案内用の溝部２４、２５に、前面蓋部材１３と後面蓋部材１４の側縁部の上方の上凸部１３ａ、１４ａと下方の下凸部１３ｂ、１４ｂとが位置する様子を示した図である。
【図５】(ａ)、(ｂ)は図２(ｂ)のＸ−Ｘ線矢視断面図である。
【図６】(ａ)はデジタルカメラ２を収納した本発明の第２実施形態のカメラケース１の外観斜視図でありカメラ前面側から見た図、(ｂ)はカメラ上面を覆う上面蓋部材１５を開き、かつカメラ前面を覆う前面蓋部材１３とカメラ後面を覆う後面蓋部材１４を下方に回動した様子を示した図である。
【符号の説明】
【００３８】
１  カメラケース
２  デジタルカメラ
３  固定用ねじ
４  液晶表示部
６  撮影用レンズ
１０  基部
１１、１２  左右基部
１３  前面蓋部材
１４  後面蓋部材
１５  上面蓋部材
２０  別部材
２４、２５  溝部
２６  傾斜形状部
【図１】
2005202324.tif 000003
【図２】
2005202324.tif 000004
【図３】
2005202324.tif 000005
【図４】
2005202324.tif 000006
【図５】
2005202324.tif 000007
【図６】
2005202324.tif 000008